【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
入力部と表示部と制御部とを備える税計算機であって、
前記入力部は、第１税率に関する処理を実行する際に操作される第１キーと、第２税率に関する処理を実行する際に操作される第２キーと、税計算の結果に関する処理を実行する際に操作される第３キーとを少なくとも有し、
前記制御部は、
前記表示部に数値が表示されているときに、前記第１キー及び前記第２キーの何れかのキーが操作されると、表示されている前記数値と、前記第１税率及び前記第２税率のうちの操作された前記何れかのキーに対応する何れかの税率とをもとに、前記何れかの税率に係わる税計算結果を算出し、算出された前記税計算結果を、前記表示部にその画面を更新して表示する、税計算結果表示制御を行ない、
前記第１税率を用いた前記税計算結果表示制御を少なくとも１回行い、前記第２税率を用いた前記税計算結果表示制御を少なくとも１回行った後、前記第３キーが操作されたことに応じて、複数回行われた前記税計算結果表示制御により算出された複数の前記税計算結果の合計を示す税計算結果総合計額を、前記表示部にその画面を更新して表示する、税計算結果総合計表示制御を行ない、
前記税計算結果総合計表示制御を行った後、前記第１キー及び前記第２キーの何れかのキーが操作されると、複数回行われた前記税計算結果表示制御により算出された前記複数の前記税計算結果に係わる数値のうちの、操作された前記何れかのキーに対応する何れかの税計算結果に係わる数値を、前記表示部にその画面を更新して表示する、税計算結果関連数値表示制御を行なう、税計算機。
【請求項２】
前記税計算結果表示制御において、操作された前記何れかのキーに対応する前記何れかの税率をもとに、表示されている前記数値を何れかの税抜額として、何れかの税込額及び何れかの税額を算出し、
前記税計算結果関連数値表示制御において、
前記税計算結果総合計表示制御を行った後、前記何れかのキーが操作される毎に、前記何れかの税込額の合計、当該何れかの税込額の合計に対応する前記何れかの税抜額の合計、及び、当該何れかの税込額の合計に対応する前記何れかの税額の合計の何れかを、前記表示部にその画面を更新して表示する税計算結果切替表示制御を行う、請求項１記載の税計算機。
【請求項３】
前記税計算結果表示制御において、前記何れかのキーが操作されると、前記税計算結果とともに、前記第１税率に対応する第１税シンボル及び前記第２税率に対応する第２税シンボルのうちの前記何れかのキーに対応する前記何れかの税率を用いた税計算結果であることを示す何れかの税シンボルを、前記表示部に表示する、請求項１又は請求項２記載の税計算機。
【請求項４】
前記税計算結果総合計表示制御において、前記第３キーが操作されたことに応じて、前記税計算結果総合計額とともに、税合計シンボルを前記表示部に表示する、請求項１乃至請求項３の何れか一項記載の税計算機。
【請求項５】
前記税計算結果表示制御において、表示されている前記数値を税抜額として、操作された前記何れかのキーに対応する前記何れかの税率をもとに、税込額を算出し、
前記税計算結果関連数値表示制御において、
前記税計算結果総合計表示制御を行った後であって、かつ、前記税合計シンボルを表示中に、前記何れかのキーが操作されると、前記第１税率に対応する第１税込額及び前記第２税率に対応する第２税込額のうちの、操作された前記何れかのキーに対応する前記何れかの税率に対応する何れかの税込額に係わる数値を、前記何れかの税計算結果に係わる数値として、前記表示部にその画面を更新して表示する、請求項４記載の税計算機。
【請求項６】
前記税計算機は、メモリをさらに備え、
前記メモリは、前記第１税率に関する情報を記憶する第１メモリ領域と、前記第２税率に関する情報を記憶する第２メモリ領域と、を有し、
前記税計算結果表示制御において、表示されている前記数値を税抜額として、操作された前記何れかのキーに対応する前記何れかの税率をもとに、税込額を算出し、算出した前記税込額を、前記メモリの前記第１メモリ領域と前記第２メモリ領域とのうちの前記何れかの税率に対応する何れかのメモリ領域に記憶する、請求項１乃至請求項５の何れか一項記載の税計算機。
【請求項７】
前記税計算結果総合計表示制御において、
前記メモリの前記第１メモリ領域及び前記第２メモリ領域に記憶されている複数の前記税込額の総合計を取得して、取得した前記複数の前記税込額の前記総合計を、前記税計算結果総合計額として、前記表示部にその画面を更新して表示し、
前記税計算結果関連数値表示制御において、
前記何れかのキーが操作されると、
前記メモリの前記第１メモリ領域及び前記第２メモリ領域のうちの操作された前記何れかのキーに対応する何れかのメモリ領域に記憶されている前記税込額の合計を取得して、取得した前記税込額の合計を、前記何れかの税計算結果に係わる数値として、前記表示部にその画面を更新して表示する、請求項６記載の税計算機。
【請求項８】
複数の端数処理の計算方法の何れかを設定する端数処理方法設定制御を行い、
前記税計算結果表示制御、前記税計算結果総合計表示制御又は税計算結果関連数値表示制御において、
前記端数処理方法設定制御により設定された前記何れかの計算方法に応じた形態により、前記税計算結果、前記税計算結果総合計額又は前記何れかの税計算結果に係わる数値を、前記表示部に表示する、請求項１乃至請求項７の何れか一項記載の税計算機。
【請求項９】
前記端数処理方法設定制御において、
２つのキーを組み合わせて操作されたことに応じて、前記複数の端数処理の計算方法の何れかを選択可能な状態に移行し、
別のキーが操作されたことに応じて、前記複数の端数処理の計算方法の何れかを選択し、
前記２つのキーのうち何れかのキーが操作されたことに応じて、選択された前記何れかの計算方法を設定する、請求項８記載の税計算機。
【請求項１０】
入力部と表示部とを備える税計算機の制御部により実行される税計算方法であって、
前記入力部は、第１税率に関する処理を実行する際に操作される第１キーと、第２税率に関する処理を実行する際に操作される第２キーと、税計算の結果に関する処理を実行する際に操作される第３キーとを少なくとも有し、
前記税計算方法は、
前記表示部に数値が表示されているときに、前記第１キー及び前記第２キーの何れかのキーが操作されると、表示されている前記数値と、前記第１税率及び前記第２税率のうちの操作された前記何れかのキーに対応する何れかの税率とをもとに、前記何れかの税率に係わる税計算結果を算出し、算出された前記税計算結果を、前記表示部にその画面を更新して表示する、税計算結果表示制御を行ない、
前記第１税率を用いた前記税計算結果表示制御を少なくとも１回行い、前記第２税率を用いた前記税計算結果表示制御を少なくとも１回行った後、前記第３キーが操作されたことに応じて、複数回行われた前記税計算結果表示制御により算出された複数の前記税計算結果の合計を示す税計算結果総合計額を、前記表示部にその画面を更新して表示する、税計算結果総合計表示制御を行ない、
前記税計算結果総合計表示制御を行った後、前記第１キー及び前記第２キーの何れかのキーが操作されると、複数回行われた前記税計算結果表示制御により算出された前記複数の前記税計算結果に係わる数値のうちの、操作された前記何れかのキーに対応する何れかの税計算結果に係わる数値を、前記表示部にその画面を更新して表示する、税計算結果関連数値表示制御を行なう、ことを含む税計算方法。
【請求項１１】
第１税率に関する処理を実行する際に操作される第１キーと、第２税率に関する処理を実行する際に操作される第２キーと、税計算の結果に関する処理を実行する際に操作される第３キーとを少なくとも有する入力部と表示部とを備える税計算機のコンピュータを、
前記表示部に数値が表示されているときに、前記第１キー及び前記第２キーの何れかのキーが操作されると、表示されている前記数値と、前記第１税率及び前記第２税率のうちの操作された前記何れかのキーに対応する何れかの税率とをもとに、前記何れかの税率に係わる税計算結果を算出し、算出された前記税計算結果を、前記表示部にその画面を更新して表示する、税計算結果表示制御を行ない、
前記第１税率を用いた前記税計算結果表示制御を少なくとも１回行い、前記第２税率を用いた前記税計算結果表示制御を少なくとも１回行った後、前記第３キーが操作されたことに応じて、複数回行われた前記税計算結果表示制御により算出された複数の前記税計算結果の合計を示す税計算結果総合計額を、前記表示部にその画面を更新して表示する、税計算結果総合計表示制御を行ない、
前記税計算結果総合計表示制御を行った後、前記第１キー及び前記第２キーの何れかのキーが操作されると、複数回行われた前記税計算結果表示制御により算出された前記複数の前記税計算結果に係わる数値のうちの、操作された前記何れかのキーに対応する何れかの税計算結果に係わる数値を、前記表示部にその画面を更新して表示する、税計算結果関連数値表示制御を行なう手段、として機能させるための税計算プログラム。
【手続補正２】
【補正対象書類名】明細書
【補正対象項目名】発明の名称
【補正方法】変更
【補正の内容】
【発明の名称】税計算機、税計算方法、及び税計算プログラム
【手続補正３】
【補正対象書類名】明細書
【補正対象項目名】０００１
【補正方法】変更
【補正の内容】
【０００１】
本発明は、税計算をする税計算機、税計算方法、及び税計算プログラムに関する。
【手続補正４】
【補正対象書類名】明細書
【補正対象項目名】０００６
【補正方法】変更
【補正の内容】
【０００６】
本発明は、前記のような課題に考慮してなされたもので、簡単な操作で複数の税率に基づいた税計算をする税計算機、税計算方法、及び税計算プログラムを提供することを目的とする。
【手続補正５】
【補正対象書類名】明細書
【補正対象項目名】０００７
【補正方法】変更
【補正の内容】
【０００７】
上記の課題を解決するために、本発明の税計算機は、入力部と表示部と制御部とを備える税計算機であって、前記入力部は、第１税率に関する処理を実行する際に操作される第１キーと、第２税率に関する処理を実行する際に操作される第２キーと、税計算の結果に関する処理を実行する際に操作される第３キーとを少なくとも有し、前記制御部は、前記表示部に数値が表示されているときに、前記第１キー及び前記第２キーの何れかのキーが操作されると、表示されている前記数値と、前記第１税率及び前記第２税率のうちの操作された前記何れかのキーに対応する何れかの税率とをもとに、前記何れかの税率に係わる税計算結果を算出し、算出された前記税計算結果を、前記表示部にその画面を更新して表示する、税計算結果表示制御を行ない、前記第１税率を用いた前記税計算結果表示制御を少なくとも１回行い、前記第２税率を用いた前記税計算結果表示制御を少なくとも１回行った後、前記第３キーが操作されたことに応じて、複数回行われた前記税計算結果表示制御により算出された複数の前記税計算結果の合計を示す税計算結果総合計額を、前記表示部にその画面を更新して表示する、税計算結果総合計表示制御を行ない、前記税計算結果総合計表示制御を行った後、前記第１キー及び前記第２キーの何れかのキーが操作されると、複数回行われた前記税計算結果表示制御により算出された前記複数の前記税計算結果に係わる数値のうちの、操作された前記何れかのキーに対応する何れかの税計算結果に係わる数値を、前記表示部にその画面を更新して表示する、税計算結果関連数値表示制御を行なう、を備える。